(57)【要約】【課題】  原稿の高さを検出可能な画像読取装置を提供すること。【解決手段】  媒体を載置される媒体載置台と、前記媒体からの反射光を検出する光センサが主走査方向に複数配列された光センサチップと、前記光センサチップの端部近傍に配置され、前記媒体に対して前記主走査方向に傾斜角を有する光を照射する第１の光源と、前記媒体による前記第１の光源の反射光の検出結果に基づいて、前記媒体の高さを測定する高さ測定部と、前記媒体に光を照射する第２の光源と、前記媒体による前記第２の光源の反射光の検出結果に基づいて、前記媒体上の画像を読み取る画像読取部と、を備えることを特徴とする画像読取装置を提供する。【選択図】  図６
2016082337.tif 000002
【特許請求の範囲】
【請求項１】
媒体を載置される媒体載置台と、
前記媒体からの反射光を検出する光センサが主走査方向に複数配列された光センサチップと、
前記光センサチップの端部近傍に配置され、前記媒体に対して前記主走査方向に傾斜角を有する光を照射する第１の光源と、
前記媒体による前記第１の光源の反射光の検出結果に基づいて、前記媒体の高さを測定する高さ測定部と、
前記媒体に光を照射する第２の光源と、
前記媒体による前記第２の光源の反射光の検出結果に基づいて、前記媒体上の画像を読み取る画像読取部と、を備える
ことを特徴とする画像読取装置。
【請求項２】
複数の前記光センサチップが互い違いに配置され、
前記第１の光源が複数配置された
ことを特徴とする請求項１に記載の画像読取装置。
【請求項３】
前記第１の光源は、前記光センサチップの両端部近傍に配置された
ことを特徴とする請求項１に記載の画像読取装置。
【請求項４】
前記光センサチップと、該光センサチップの両端部近傍に配置された前記第１の光源とを含む光センサチップセットが、互い違いに複数配置された
ことを特徴とする請求項１に記載の画像読取装置。
【請求項５】
複数の前記第１の光源は、少なくとも２種類の異なった波長の光を照射する
ことを特徴とする請求項２乃至請求項４のいずれか１項に記載の画像読取装置。
【請求項６】
複数の前記光センサチップが互い違いに配置され、
前記第１の光源が前記複数の光センサチップに挟まれるよう配置された
ことを特徴とする請求項１に記載の画像読取装置。
【発明の詳細な説明】
【技術分野】
【０００１】
本発明の一態様は、載置台に置かれた原稿の画像を読み取って電子データに変換する複写機またはスキャナなどの画像読取装置に関する。
【背景技術】
【０００２】
載置台に置かれた原稿を光センサにより光学的に読み取って電子データに変換する画像読取装置では、載置台に置かれた原稿が綴じ代部分のある書籍などである場合、原稿に浮いた部分が生じることがある。このような原稿の浮いた部分では、光センサの焦点が合わないため、原稿上の画像を正確に読み取ることが困難であり、結果的に黒っぽく読み取られてしまうことがある。例えば、特許文献１及び特許文献２には、原稿の浮き上がりを検出する画像読取装置について開示されている。
【先行技術文献】
【特許文献】
【０００３】
【特許文献１】特開２００９−２６０６０８号公報
【特許文献２】特開平５−１８８４８５号公報
【発明の概要】
【発明が解決しようとする課題】
【０００４】
しかしながら、上記特許文献を含む従来の構成では、原稿読み取り用の光学センサとは別に、原稿の浮き上がりを検出するための位置検出用のセンサを設ける必要があった。また、このセンサが設けられた位置の原稿の浮き上がりしか検出できず、複数位置での原稿の浮き上がりを検出するためには多数のセンサを設ける必要があり、コストが高くなってしまっていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
媒体（原稿４００）を載置される媒体載置台（原稿載置台１００）と、
前記媒体からの反射光を検出する光センサ（２３０）が主走査方向に複数配列された光センサチップ（２３１ａ〜２３１ｄ、２３２）と、
前記光センサチップの端部近傍に配置され、前記媒体に対して前記主走査方向に傾斜角を有する光を照射する第１の光源（高さ検出用光源２２０ａ〜２２０ｍ）と、
前記媒体による前記第１の光源の反射光の検出結果に基づいて、前記媒体の高さを測定する高さ測定部（ＣＰＵ３００）と、前記媒体に光を照射する第２の光源（読取用光源２１０）と、前記媒体による前記第２の光源の反射光の検出結果に基づいて、前記媒体上の画像を読み取る画像読取部（ＣＰＵ３００）と、を備える
ことを特徴とする画像読取装置である。
【０００７】
上記の構成によれば、第１の光源（高さ検出用光源２２０ａ〜２２０ｍ）と光センサ（２３０）とによって媒体（原稿４００）の高さを検出できるため、高さ検出用のセンサを別途設ける必要がなくなる。
【０００８】
本発明の手段２は、
複数の前記光センサチップ（２３１ａ〜２３１ｄ）が互い違いに配置され、
前記第１の光源が複数配置された
ことを特徴とする手段１の画像読取装置である。
【０００９】
上記の構成によれば、第１の光源（高さ検出用光源）を複数配置することにより、原稿の高さを複数位置で検出することが可能となる。これにより、媒体（原稿４００）の高さをより正確に検出することが可能となる。
【００１０】
本発明の手段３は、
前記第１の光源（高さ検出用光源２２０ｅ、２２０ｆ）は、前記光センサチップ（２３２）の両端部近傍に配置された
ことを特徴とする手段１の画像読取装置である。
【００１１】
上記の構成によれば、光センサチップの両端部近傍における原稿の高さの検出が可能となる。
【００１２】
本発明の手段４は、
前記光センサチップ（２３１ａ〜２３１ｄ）と、該光センサチップの両端部近傍に配置された前記第１の光源（高さ検出用光源２２０ａ〜２２０ｄ、２２０ｇ〜２２０ｊ）とを含む光センサチップセットが、互い違いに複数配置された
ことを特徴とする手段１の画像読取装置である。
【００１３】
上記の構成によれば、配置スペースが発生する光センサチップの両端部近傍に第１の光源（高さ検出用光源）を配置することとなり、これにより、読み取り対象の原稿の主走査方向の広い位置で原稿の高さを検出できるようになる。
【００１４】
本発明の手段５は、
複数の前記第１の光源は、少なくとも２種類の異なった波長の光を照射する
ことを特徴とする画像読取装置である。
【００１５】
上記の構成によれば、原稿の印刷物による特定波長の光の反射光の減衰が発生する場合であっても、反射光の減衰が生じづらい波長の光の反射光を検出可能となり、読み取り不具合を回避することが可能となる。
【００１６】
本発明の手段６は、
複数の前記光センサチップが互い違いに配置され、
前記第１の光源が前記複数の光センサチップに挟まれるよう配置された
ことを特徴とする画像読取装置である。
【００１７】
上記の構成によれば、互い違いに配置された光センサチップが対向する位置に挟みこむように第１の光源（高さ検出用光源２２０ｋ〜２２０ｍ）を配置することで、複数位置で原稿の高さを検出することが可能となる。
【図面の簡単な説明】
【００１８】
【図１】原稿読取装置の外観を示す図。
【図２】ＣＩＳの斜視図。
【図３】ＣＩＳの平面図。
【図４】画像読取装置の構成例を示す図。
【図５】画像読取装置の断面図。
【図６】画像読取装置の断面図。
【図７】原稿読取装置の外観を示す図。
【図８】ＣＩＳの第２の平面図。
【図９】ＣＩＳの第３の平面図。
【図１０】ＣＩＳの第４の平面図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）画像読取装置の構成例
（２）原稿の高さ検出処理
２．実施形態２
３．実施形態３
４．実施形態４
５．実施形態５
６．補足事項
７．本発明の特徴
【００２０】
＜１．実施形態１＞
まず、本発明の実施形態１について、図１乃至図７を参照しながら説明する。
【００２１】
＜（１）画像読取装置の構成例＞
図１は、本実施形態の画像読取装置の外観図である。なお、図１に示される画像読取装置では、本実施形態の説明に必要な要素のみを表示しており、例えば画像読取装置の筐体、及び半導体チップなどが搭載された基板などはその表示を省略している。図１に示されるように、画像読取装置は透明なガラスまたはプラスチックなどによって形成された原稿載置台１００、及び原稿載置台１００の下方に配置されたＣＩＳ２００を含んで構成される。原稿載置台１００には原稿４００が載置され、ユーザの操作に応じて、画像読取装置はこの原稿４００の画像を読み取り、電子データに変換する。原稿４００の画像を読み取る処理が実行されるとき、ＣＩＳ２００は図中に示した矢印の方向である副走査方向に移動しつつ、原稿４００に照射した光の反射光を読み取る。なお、図中に示したＸ方向を主走査方向、図中に示したＹ方向を副走査方向と呼ぶことがある。
【００２２】
＜ＣＩＳ２００＞
図２は、図１に示したＣＩＳ２００の斜視図である。当該図２のＣＩＳ２００では、各要素が分かるように透過図で示されている。図２に示されるように、ＣＩＳ２００は、読取用光源２１０、高さ検出用光源２２０ａ〜２２０ｄ、及び光センサチップ２３１ａ〜２３１ｄを含んで構成される。
【００２３】
図３は、図２に示したＣＩＳ２００を上面（原稿載置台１００の側）からみた平面図である。ＣＩＳ２００に含まれる各要素は、図３に示されるように配置される。具体的な配置については各要素に関する説明として後述する。
【００２４】
＜読取用光源２１０＞
読取用光源２１０は、ＣＩＳ２００上の、光センサチップ２３１ａ〜２３１ｄより副走査方向の先方に配置される。読取用光源２１０は、画像読取装置において読み取り可能な原稿４００の幅より長い長さを備えて構成される。読取用光源２１０は、複数のＬＥＤまたはランプによって構成され、原稿載置台１００に載置された原稿４００に対して光を照射するよう構成される。なお、読取用光源２１０は必ずしも複数のＬＥＤなどで構成される必要はなく、読み取り可能な原稿４００の幅とほぼ同じ長さ、または所定の長さを有する蛍光灯などで構成されてもよい。
【００２５】
＜高さ検出用光源２２０（２２０ａ〜２２０ｄ）＞
高さ検出用光源２２０ａ〜２２０ｄは、図３に示されるように、ＣＩＳ２００上の、光センサチップ２３１ａ〜２３１ｄの主走査方向（ＣＩＳ２００の移動方向（副走査方向）に対して垂直な方向であり、図中のＸ方向）の端部近傍にそれぞれ配置される。高さ検出用光源２２０ａ及び２２０ｂは、光センサチップ２３１ａ及び２３１ｂが副走査方向に重なる部分の近傍に配置され、高さ検出用光源２２０ｃ及び２２０ｄは、光センサチップ２３１ｃ及び２３１ｄが副走査方向に重なる部分の近傍に配置される。高さ検出用光源２２０は、原稿４００に対して主走査方向に傾斜角を有する光を照射するよう、原稿４００に対して傾斜角を有するよう配置される。より具体的には、この高さ検出用光源２２０ａ及び２２０ｃは図３のＸ方向の逆方向に、高さ検出用光源２２０ｂ及び２２０ｄは図３のＸ方向の順方向に、それぞれ傾斜角を有するよう配置される。上記のように高さ検出用光源が配置されることで、原稿４００上の近接位置に対して複数の高さ検出用光源２２０の光を照射することが可能となり、当該位置での原稿４００の高さの検出精度を高めることができる。
【００２６】
＜光センサチップ２３１ａ〜２３１ｄ＞
光センサチップ２３１ａ〜２３１ｄは、図３に示されるように、ＣＩＳ２００上の、読取用光源２１０より副走査方向の後方に配置され、主走査方向（副走査方向と垂直な画像読取装置の長さ方向）に延びるよう構成される。光センサチップ２３１ａ〜２３１ｄは複数の光センサが長さ方向にアレイ状に整列されて構成される。光センサチップ２３１ａ〜２３１ｄは、複数の光センサのそれぞれに対応するロッドレンズを備えてもよい。ＣＩＳ２００上には、複数の光センサチップ２３１ａ〜２３１ｄがそれぞれ互い違いに配置される。
【００２７】
図４は本実施形態の画像読取装置の構成例を示すブロック図である。図４に示されるように、画像読取装置は、読取用光源２１０、高さ検出用光源２２０、光センサ２３０、駆動部２４０、ＣＰＵ３００、操作入力部３１０、及びメモリ３２０を含んで構成される。
【００２８】
＜光センサ２３０＞
光センサ２３０は、必要に応じて配置されたロッドレンズによって透過された、読取用光源２１０が媒体に照射した光の反射光を検出するよう構成される。光センサ２３０は、受光した光に基づいて媒体（原稿４００）による光の反射状態を検出し、ＣＰＵ３００に検出結果を出力する。すなわち、光センサ２３０は、原稿４００上の特定の箇所の色を検出可能であり、この箇所に黒色で印刷がされていたり、赤色で印刷がされていたりする状態を検出する。なお、光センサ２３０は必ずしも色を特定する機能を備える必要はなく、媒体の濃淡を検出して白、黒、またはこの中間の濃度のみを検出可能なものであってもよい。
【００２９】
さらに、光センサ２３０は、高さ検出用光源２２０が媒体に照射した光の反射光を検出可能である。光センサ２３０は、反射光の検出結果をＣＰＵ３００に出力する。
【００３０】
ロッドレンズは、読取用光源２１０または高さ検出用光源２２０が原稿４００に照射した光の反射光を入射され、入射された光を光センサ２３０に透過可能に構成される。
【００３１】
＜駆動部２４０＞
駆動部２４０は、モータ等の可動部品を備えており、ＣＰＵ３００からの指示によってＣＩＳ２００を副走査方向に移動させるよう構成される。駆動部２４０がＣＩＳ２００を移動させることによって、ＣＩＳ２００に含まれる読取用光源２１０、高さ検出用光源２２０、及び光センサ２３０も同様に移動させられる。
【００３２】
＜ＣＰＵ３００＞
ＣＰＵ３００は、操作入力部３１０から入力されるユーザからの指示信号に基づいて、設定処理、画像読み取り処理、高さ検出処理、およびキャリブレーション処理などを実行するよう構成される。また、ＣＰＵ３００は、画像読み取り処理、高さ検出処理、またはキャリブレーション処理における読み取り結果を、メモリ３２０に記憶させるよう処理することができる。本実施形態では、原稿の高さの検出に特徴があるが、この原稿の高さの検出は、画像読み取り処理または高さ検出処理で行われる。画像読み取り処理において原稿の高さの検出を行う場合には、ＣＰＵ３００は、原稿の読み取りと原稿の高さの読み取りとを交互に、または所定のタイミングでそれぞれの処理を行うよう制御する。このとき、ＣＰＵ３００は、駆動部２４０、読取用光源２１０、高さ検出用光源２２０、及び光センサ２３０に対する指示を行う。
【００３３】
＜操作入力部３１０＞
操作入力部３１０は、キー（ボタン）等を備えて構成されており、ユーザによるキー入力を検出し、検出したキー入力を指示信号に変換してＣＰＵ３００に出力可能に構成される。
【００３４】
＜メモリ３２０＞
メモリ３２０は、ＣＩＳ２００による原稿の読み取り結果を記憶可能に構成される。また、メモリ３２０は、ＣＰＵ３００からの要求に応じて、記憶している情報をＣＰＵ３００に出力することができる。メモリ３２０は、さらに、設定情報などの各種情報を記憶する。
【００３５】
＜（２）原稿の高さ検出処理＞
次に、画像読取装置が原稿の高さ検出処理を実行するときの動作について具体的に説明する。なお、原稿の高さとは、光センサ２３０から原稿の所定の位置までの距離を意味するが、原稿載置台１００から原稿の所定の位置までの距離もその意味に含む。
【００３６】
図５及び図６は、原稿の高さ検出処理の実行時のＣＩＳ２００、及び原稿載置台１００を含む画像読取装置の断面図である。図５及び図６の横方向は主走査方向である。図５及び図６に示される５００ａ、５１０ａ、５２０ａ、５３０ａ、５４０ａ、及び５５０ａは高さ検出用光源２２０からの照射光を示し、５００ｂ、５１０ｂ、５２０ｂ、５３０ｂ、５４０ｂ、及び５５０ｂは原稿４００からの反射光を示す。
【００３７】
まず、操作入力部３１０は、ユーザからの原稿の高さ検出処理、または読み取り処理を指示する入力を検出し、当該処理の実行を指示する信号をＣＰＵ３００に対して出力する。原稿の読み取り処理では、高さの検出のみでなく、原稿の読み取りと高さの検出とが時分割で行われるが、説明の簡略化のため、以下の説明では高さの検出処理についてのみ説明する。ＣＰＵ３００は、上記信号の入力に応答して、駆動部２４０、高さ検出用光源２２０、及び光センサ２３０に対して、原稿の高さ検出処理を実行するための指示をする。具体的には、ＣＰＵ３００は、駆動部２４０に対してＣＩＳ２００を副走査方向に移動させるよう指示する。また、ＣＰＵ３００は、高さ検出用光源２２０、及び光センサ２３０に対して、駆動部２４０の移動に同期して、それぞれ光の照射、及び反射光の検出を実行するよう指示する。
【００３８】
上記のＣＰＵ３００からの指示に応答して、図５に示すように、ＣＩＳ２００は原稿載置台１００上の原稿４００に対する高さ検出用光源２２０からの光の照射と、光センサ２３０によるこの光の反射光の読み取りを行う。このとき、原稿４００に対しては、高さ検出用光源２２０から照射光５００ａ及び５１０ａが照射され、原稿４００から反射光５００ｂ及び５１０ｂが反射される。光センサ２３０は、反射光の検出結果に関する情報をＣＰＵ３００に出力する。
【００３９】
ＣＰＵ３００は、光センサ２３０から入力された反射光の検出結果に基づいて、照射光５１０ａの照射位置と反射光５１０ｂの受光位置との距離ａを導出する。また、照射光５１０ａが照射される傾斜角θ１は、高さ検出用光源２２０の設置状態に基づいて予めＣＰＵ３００またはメモリ３２０に記憶される。ＣＰＵ３００は、上記の距離ａ及び傾斜角θ１に基づいて原稿４００の高さを演算により導出する。なお、原稿４００の高さは、（ａ／２×ｔａｎθ１）により導出可能である。
【００４０】
図６は、原稿載置台１００に対して浮き部分が発生している原稿４００が原稿載置台１００に載置された画像読取装置の図である。図６に示されるように、原稿４００は、原稿載置台１００に対してＸ方向の順方向が高くなるよう載置されている。図７は、このときの原稿読取装置、及び載置された原稿４００の外観を示す図である。この図７のように原稿４００が載置されたとき、図６のような状態が発生する。この状態においても上記同様に、ＣＰＵ３００は、光センサ２３０から入力された反射光の検出結果に基づいて、照射光５４０ａの照射位置と反射光５４０ｂの受光位置との距離ｂ、及び照射光５５０ａの照射位置と反射光５５０ｂの受光位置との距離ｃを導出する。照射光５４０ａ及び５５０ａがそれぞれ照射される傾斜角θ２及びθ３は、予めＣＰＵ３００またはメモリ３２０に記憶される。ＣＰＵ３００は、この距離ｂ及びｃ、並びに傾斜角θ２及びθ３に基づいて原稿４００の高さを演算により導出する。ここでの原稿４００の高さは、光の照射位置が近距離であるため、（ｂ／２×ｔａｎθ２）と（ｃ／２×ｔａｎθ３）との平均値により近似的に導出可能である。
【００４１】
なお、原稿４００の高さの導出においては、予め高さ検出用光源２２０からの照射光に対する反射光が検出される位置と、原稿４００の高さとの相関データを予め取得しておき、光センサ２３０のバラツキを補正することができる。
【００４２】
また、原稿４００の綴じ代部分は曲面になることが考えられるため、ＣＰＵ３００は、必要に応じて、検出された原稿４００の高さ情報の変化に基づいて曲率を算出する。
【００４３】
以上の処理によって、画像読取装置では原稿４００の高さの検出が行われる。画像読取装置のＣＰＵ３００は、検出された原稿４００の高さに基づいて、原稿４００の読み取り結果のデータに対する補正処理を行うことが可能となる。これによって、本実施形態の画像読取装置では、原稿の浮き上がりがあった場合でも原稿上の画像を正確に読み取ることが可能となる。
【００４４】
＜２．実施形態２＞
次に、本発明の実施形態２について、図８を参照しながら説明する。本実施形態では、実施形態１と比較して、光センサチップの構造、及び高さ検出用光源の配置が異なっている。以下の説明では、この相違点を中心に説明し、実施形態１と同様の内容についてはその説明を省略する。
【００４５】
図８は、画像読取装置に含まれるＣＩＳ２００を上面（原稿載置台１００の側）からみた平面図である。すなわち、本実施形態における光センサチップ２３２は、ＣＩＳ２００の幅方向において読取用光源２１０と同程度の長さを有するよう構成される。光センサチップ２３２には、複数の光センサが長さ方向にアレイ状に整列されて構成される。光センサチップ２３２の長さ方向（主走査方向）の軸上の、両端部近傍には、それぞれ高さ検出用光源２２０ｅ及び２２０ｆが配置される。
【００４６】
上記のように、光センサチップ２３２並びに高さ検出用光源２２０ｅ及び２２０ｆを配置しても、原稿４００の高さを検出可能である。
【００４７】
なお、光センサチップ２３２は複数の光センサチップの組み合わせによって形成されてもよい。
【００４８】
＜３．実施形態３＞
次に、本発明の実施形態３について、図９を参照しながら説明する。本実施形態では、実施形態１と比較して、高さ検出用光源２２０の配置が増加している点で異なる。以下の説明では、この相違点を中心に説明し、実施形態１と同様の内容についてはその説明を省略する。
【００４９】
図９は、画像読取装置に含まれるＣＩＳ２００を上面（原稿載置台１００の側）からみた平面図である。すなわち、本実施形態における高さ検出用光源２２０ａ〜２２０ｄ及び２２０ｇ〜２２０ｊは、光センサチップ２３１ａ〜２３１ｄの両端にそれぞれ配置される。実施形態１に記載の高さ検出用光源２２０ａ〜２２０ｄと比較すると、高さ検出用光源２２０ｇ〜２２０ｊが追加された構成となっている。
【００５０】
上記のように、光センサチップ２３１ａ〜２３１ｄ及び高さ検出用光源２２０ａ〜２２０ｄ及び２２０ｇ〜２２０ｊを配置すると、実施形態１と比較してもより多くの位置で原稿４００の高さを検出可能となる。これにより、本実施形態の画像読取装置においては、原稿４００の高さの検出精度を高めることが可能となる。
【００５１】
＜４．実施形態４＞
次に、本発明の実施形態４について説明する。本実施形態では、上記の各実施形態と比較して、高さ検出用光源が複数種類の異なる波長の光を照射する点で相違し、それ以外の点については同様である。より具体的には、図３に示される実施形態１のＣＩＳ２００に配置された高さ検出用光源２２０ａ〜２２０ｄは、いずれも同じ波長の光を照射していた。一方で本実施形態のＣＩＳ２００に配置される高さ検出用光源２２０ａ〜２２０ｄでは、高さ検出用光源２２０ａ及び２２０ｃが第１の波長の光を照射し、高さ検出用光源２２０ｂ及び２２０ｄが第２の波長の光を照射するよう構成される。これらの第１の波長及び第２の波長の光は種々の波長の光を選択的に適用可能である。
【００５２】
なお、高さ検出用光源２２０から照射される光の波長は２種類である必要はなく、それ以上の種類の光であってもよい。また、１つの高さ検出用光源２２０が複数の波長の光を照射可能に構成されてもよい。さらに、高さ検出処理において反射光が十分に検出されないときに、異なる波長の光を照射するようＣＰＵ３００が制御する構成としてもよい。
【００５３】
＜５．実施形態５＞
次に、本発明の実施形態５について、図１０を参照しながら説明する。本実施形態では、実施形態１と比較して、高さ検出用光源２２０の配置が異なる。以下の説明では、この相違点を中心に説明し、実施形態１と同様の内容についてはその説明を省略する。
【００５４】
図１０は、画像読取装置に含まれるＣＩＳ２００を上面（原稿載置台１００の側）からみた平面図である。すなわち、本実施形態のＣＩＳ２００では、互いに近接して配置される光センサチップ２３１ａ〜２３１ｄの間に挟みこまれるように高さ検出用光源２２０ｋ〜２２０ｍが配置される。
【００５５】
上記のように、光センサチップ２３１ａ〜２３１ｄ高さ検出用光源２２０ｋ〜２２０ｍを配置しても、原稿４００の高さを検出可能である。
【００５６】
＜６．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００５７】
上記実施形態は互いに組み合わせて実施することが可能である。具体例としては、実施形態４と実施形態５とを組み合わせ、図１０に示したような高さ検出用光源２２０ｋ〜２２０ｍのそれぞれが複数の波長の光を照射可能にする構成を採用可能である。また、実施形態１と実施形態５とを組み合わせ、光センサチップにより挟まれる位置、及び光センサチップの両端部近傍に高さ検出用光源２２０を配置する構成も考えられる。
【００５８】
また、上記実施形態に示される光センサチップの数及び高さ検出用光源の数は、任意に変更可能である。なお、原稿４００上の所定の位置または近接位置に対して複数の高さ検出用光源からの照射光が照射されるようにする構成は、画像読取装置による原稿の高さ検出の精度を向上させることが可能である点で好ましい。
【００５９】
＜７．本発明の特徴＞
以上、説明したような構成の画像読取装置は以下のような特徴を備える。
【００６０】
まず、本発明の画像読取装置は、媒体（原稿４００）を載置される媒体載置台（原稿載置台１００）と、媒体（原稿４００）からの反射光を検出する光センサ２３０が主走査方向に複数配列された光センサチップ（２３１ａ〜２３１ｄ、２３２）と、この光センサチップの端部近傍に配置され、媒体（原稿４００）に対して主走査方向に傾斜角を有する光を照射する第１の光源（高さ検出用光源２２０ａ〜２２０ｍ）と、媒体（原稿４００）による第１の光源（高さ検出用光源２２０ａ〜２２０ｍ）の反射光の検出結果に基づいて、媒体（原稿４００）の高さを測定する高さ測定部（ＣＰＵ３００）と、媒体に光を照射する第２の光源（読取用光源２１０）と、媒体による第２の光源の反射光の検出結果に基づいて、媒体上の画像を読み取る画像読取部（ＣＰＵ３００）と、を備えることを特徴とする。
【００６１】
上記の構成または方法によれば、第１の光源（高さ検出用光源２２０ａ〜２２０ｍ）と光センサ２３０とによって媒体（原稿４００）の高さを検出できるため、高さ検出用のセンサを別途設けることなく、媒体（原稿４００）の高さを検出可能となる。
【００６２】
また、本発明の画像読取装置では、複数の光センサチップ（２３１ａ〜２３１ｄ）が互い違いに配置され、第１の光源（高さ検出用光源）が複数配置されたことを特徴とする。
【００６３】
上記の構成によれば、第１の光源（高さ検出用光源）を複数配置することにより、原稿の高さを複数位置で検出することが可能となる。これにより、媒体（原稿４００）の高さをより正確に検出することが可能となる。
【００６４】
また、本発明の画像読取装置では、第１の光源（高さ検出用光源２２０ｅ、２２０ｆ）は、光センサチップ２３２の両端部近傍に配置されたことを特徴とする。
【００６５】
上記の構成によれば、光センサチップの両端部近傍における原稿の高さの検出が可能となる。
【００６６】
また、本発明の画像読取装置では、光センサチップ（２３１ａ〜２３１ｄ）と、該光センサチップの両端部近傍に配置された第１の光源（高さ検出用光源２２０ａ〜２２０ｄ、２２０ｇ〜２２０ｊ）とを含む光センサチップセットが、互い違いに複数配置されたことを特徴とする。
【００６７】
上記の構成によれば、配置スペースが発生する光センサチップの両端部近傍に第１の光源（高さ検出用光源）を配置することとなり、これにより、読み取り対象の原稿の主走査方向の広い位置で原稿の高さを検出できるようになる。
【００６８】
また、本発明の画像読取装置では、複数の第１の光源（高さ検出用光源）は、少なくとも２種類の異なった波長の光を照射することを特徴とする。
【００６９】
上記の構成によれば、媒体（原稿４００）の印刷物による特定波長の光の反射光の減衰が発生する場合であっても、反射光の減衰が生じづらい波長の光の反射光を検出可能となり、読み取り不具合を回避することが可能となる。
【００７０】
また、本発明の画像読取装置では、複数の光センサチップが互い違いに配置され、第１の光源（高さ検出用光源）が複数の光センサチップに挟まれるよう配置されたことを特徴とする。
【００７１】
上記の構成によれば、互い違いに配置された光センサチップが対向する位置に挟みこむように第１の光源（高さ検出用光源）を配置することで、複数位置で原稿の高さを検出することが可能となる。
【産業上の利用可能性】
【００７２】
本発明は、画像読取装置、または画像読み取り機能を備えた印刷機などに好適に適用される。
【符号の説明】
【００７３】
１００…原稿載置台
２１０…読取用光源
２２０、２２０ａ〜２２０ｍ…高さ検出用光源
２３０…光センサ
２３１ａ〜２３１ｄ、２３２…光センサチップ
２４０…駆動部
３１０…操作入力部
３２０…メモリ
４００…原稿
５００ａ〜５５０ａ…照射光
５００ｂ〜５５０ｂ…反射光
【図１】
2016082337.tif 000003
【図２】
2016082337.tif 000004
【図３】
2016082337.tif 000005
【図４】
2016082337.tif 000006
【図５】
2016082337.tif 000007
【図６】
2016082337.tif 000008
【図７】
2016082337.tif 000009
【図８】
2016082337.tif 000010
【図９】
2016082337.tif 000011
【図１０】
2016082337.tif 000012